(57)【要約】【課題】走行安全のためのパターンの形成された内壁面を有するトンネルを提供する。【解決手段】  車両走行方向に沿ってトンネルの内壁面に横方向に形成された第１パターン層１０と、第１パターン層１０の上部に接して横方向に形成され、第１パターン層１０と異なる明度を有する第２パターン層２０と、を含む走行安全のためのトンネルの内壁面のパターンを形成するこれにより、トンネルの内部を走行する走行者の緊張感と安定感とを適切に調節し、速度感知能力及び走行安全性を向上させて、結果的にトンネル内の各種事故を予防する効果を期待することができる。【選択図】  図１
2010090678.tif 000002
【特許請求の範囲】
【請求項１】
車両の走行方向に沿って、トンネルの内壁面に横方向に形成された第１パターン層と、
前記第１パターン層の上部に接して横方向に形成され、前記第１パターン層と異なる明度を有する第２パターン層と、を含む走行安全のためのトンネル内壁面のパターン。
【請求項２】
前記第１パターン層及び前記第２パターン層は、連続して連結された「Ｖ」字型又は「ｓｉｎ曲線」形態であることを特徴とする請求項１に記載の走行安全のためのトンネル内壁面のパターン。
【請求項３】
前記第１パターン層と前記第２パターン層との境界面を中心に、マッハバンドが形成されることを特徴とする請求項１に記載の走行安全のためのトンネル内壁面のパターン。
【請求項４】
前記第１パターン層及び前記第２パターン層がトンネルの内壁面にタイルで付着されて形成されることを特徴とする請求項１に記載の走行安全のためのトンネル内壁面のパターン。
【請求項５】
前記第１パターン層及び前記第２パターン層がトンネルの内壁面に塗料で塗装して形成されることを特徴とする請求項１に記載の走行安全のためのトンネル内壁面のパターン。
【請求項６】
前記第２パターン層の上部に横方向に接して形成され、前記第２パターン層と異なる明度の少なくとも一つ以上の第３パターン層をさらに含むことを特徴とする請求項１に記載の走行安全のためのトンネル内壁面のパターン。
【請求項７】
前記第２パターン層の明度が前記第１パターン層の明度より高く、前記第３パターン層の明度が前記第２パターン層の明度より高いことを特徴とする請求項６に記載の走行安全のためのトンネル内壁面のパターン。
【請求項８】
前記第２パターン層の明度が前記第１パターン層の明度より低く、前記第３パターン層の明度が前記第２パターン層の明度より低いことを特徴とする請求項６に記載の走行安全のためのトンネル内壁面のパターン。
【発明の詳細な説明】
【技術分野】
【０００１】
本発明は、パターンの形成された内壁面を有するトンネルに関し、さらに詳細には、走行者の適切な緊張感及び走行安定感、速度感知能力の向上が著しく、かつ走行者に安定した水平感を与え、走行安定性を顕著に改善するトンネルに関する。
【背景技術】
【０００２】
一般に、トンネルは、高速道路などを走行する車両の迅速な通行のために、山などを貫通して形成されたもので、車両の走行距離を減らして走行時間及び走行距離を最小化することができるという長所があるが、その内部空間が暗いか、又は空気が濁っているから、走行条件が劣悪な短所がある。このためトンネルの中で交通事故が頻繁に発生している。
【０００３】
具体的に説明すると、トンネルの内部に運転者が進入すると、まず突然の環境の変化によって、いろいろな感覚機能が低下する。その中でも視覚的な機能と聴覚的な機能が著しく低下する。特に、トンネルでは、運転中に視覚が歪む現象により、速度感と距離感を感知し難い。また、トンネルの内部に進入する際に、突然に暗くなるため、瞳孔の適応時間が長くかかるという現象が発生する。そして、トンネルの内部照明をずっと見つめれば、錯視を起こして近くにある運転者を視覚的に遠くにいると考えてしまう心理的な要因も発生する。
【０００４】
また、トンネルの内部に進入すると、共鳴現象により耳の感覚が異常をおこし、心理的に浮き立つようになってスピードの出しすぎをするおそれがある。また、トンネルのような閉鎖空間から抜け出そうとする運転者の心理的な特性のためにスピードの出しすぎをするおそれがある。そして、トンネル内の、外部の温度差によってトンネルの内部から発生する霧と狭いトンネルの内部から吹く交通風によって、トンネル内でスピードの出しすぎをするようになれば、それだけ事故の発生率が増加するおそれがある。
【０００５】
このような問題点を解決し、トンネル内での運行時に発生しうる交通事故を予防するための多様な研究が行われている。
例えば、韓国公開実用新案公報第２０−２０００−００１７８８５号（２０００年１０月５日公開）には、「運転者視線誘導表紙」が開示されている。しかしながら、前記考案を適用しても、運転者がトンネル中を走行する時にトンネルの壁面によって運転者は何ら視覚上の刺激を受けないので、速度感をほとんど感じることができないから、運転者自身も知らないうちにスピードの出しすぎをしやすい。特に、前車との距離を容易に認知できないため、トンネル内で追突事故及びトンネル側面との接触事故が頻繁に発生するという問題点がある。
【０００６】
そして、韓国実用新案登録第２０−０２９００１９号（２００２年９月９日登録）には、「トンネル安全表示装置」が開示されている。前記発明の場合、運転者の注意力を向上させ、かつ速度感を増大させるという効果はあるが、壁面に別途の施設物を設置しなければならないので、面倒でかつ管理が容易でなく、安定した水平感、均衡感、及び緊張感を与えるなどの効果を提供することはできないという問題点がある。
【特許文献１】韓国実用新案公報第２０−２０００−００１７８８５号明細書
【特許文献２】韓国実用新案登録第２０−０２９００１９号明細書
【発明の開示】
【発明が解決しようとする課題】
【０００７】
そこで、本発明の目的は、トンネルの内部に別途の装置を設置しなくても、トンネルの内部を走行する運転者に速度感知能力を向上させ、運転者に安定した水平感、均衡感、及び緊張感を与えることができる走行安全のためのトンネルの内壁面のパターンを提供することにある。
【課題を解決するための手段】
【０００８】
上述の本発明の目的を達成すべく、本発明によれば、車両の走行方向に沿って、トンネルの内壁面に横方向に形成された第１パターン層と、前記第１パターン層の上部に接して横方向に形成され、前記第１パターン層と異なる明度を有する第２パターン層と、を含む走行安全のためのトンネル内壁面のパターンを提供する。
【０００９】
前記第２パターン上部には、第２パターンと互いに異なる明度を有する第３パターン層をさらに形成することができる。前記各パターン層間には、明度の差がある色相を有するパターンが接しているため、いわゆるマッハバンドが形成される。前記パターンは、トンネル施工時に、例えば、タイルなどで仕上げるか、又は塗料を使用して彩色できる。
【００１０】
本発明によれば、前記パターンは、トンネルを施工する時に内壁面に仕上げ工事中に共に実施できるので、別途の費用又は時間がかからず、一度設置しておくと、洗浄外の別途の管理が要らないので、維持費用がかからずに半永久的である。すなわち、トンネル内の走行安全を確保することができる極めて経済的な方法である。
【００１１】
そして、このように一度施工しておくと、前記トンネルの内壁面のパターンは、走行者の視覚疲労度の上昇を抑制し、速度感知能力の低下を防止してスピードの出しすぎによる追突事故及び交通事故を予防することができる。
また、トンネルの内壁面を連続的に連結された「Ｖ」字型又は「ｓｉｎ曲線」形態を有する変形マッハバンドパターンを形成することによって、トンネルの内部を走行する走行者に視覚的な刺激を与えて、走行者の緊張感と安定感とを適切に調節できる。結局、速度感知能力及び走行安全性を向上させて、結果的にトンネル内の各種交通事故を予防する効果を期待することができる非常に経済的な方法である。
【００１２】
（発明の効果）
本発明による走行安全のためのパターンの形成された内壁面を有するトンネルを施工すれば、そのトンネルを通過する走行者の視覚疲労度の上昇を抑制し、速度感知機能の低下を防止してスピードの出しすぎによる追突事故を予防することができる。
【００１３】
そして、連続的に連結された「Ｖ」字型又は「ｓｉｎ曲線」形態を有する変形マッハバンドパターンを使用することによって、トンネルの内部を走行する走行者に視覚的な刺激を与えて、好奇心の誘発及び躍動的な変化による速度感知機能の向上、緊張感、安定した水平感及び均衡感を与える効果がある。
結局、前記パターンをトンネルの内壁面に適用すれば、速度感知能力の向上及び走行安全性の向上を期待することができる。
以上本発明の好ましい実施の形態を参照して説明したが、該当技術分野の熟練した当業者は、下記の特許請求の範囲に記載された本発明の思想及び領域から逸脱しない範囲内で本発明を多様に修正及び変更させうることを理解することができるはずである。
【発明を実施するための最良の形態】
【００１４】
以下、図面を参照して、本発明の好ましい実施の形態による走行安全のためのパターンが形成された内壁面を有するトンネルを詳細に説明する。
（一実施形態）
本発明の一実施形態による変形マッハバンドを利用したトンネルの内壁面のパターンを図１及び図２に示す。図１は、本発明の走行安全のためのトンネルの内壁面のパターンを説明するための変形マッハパターンの模式図であり、図２は、前記図１のパターンをトンネルの内壁に適用した例示図である。
【００１５】
図１及び図２に示すように、本実施の形態による走行安全のためのトンネルの内壁面のパターンは、第１パターン層１０及び第２パターン層２０を有する。
まず、本実施の形態によるパターンは、第１パターン層１０を含む。
前記第１パターン層１０の下端は、連続的に連結された「Ｖ」字型又は「ｓｉｎ曲線」形態で形成されるか、又は前記図１に示すように、トンネル内の底面と接することができる。一方、前記第１パターン層１０の上端は、連続的に連結された「Ｖ」字型又は「ｓｉｎ曲線」形態で形成されることが好ましい。
このような屈曲のあるパターンがトンネルの内壁面に形成される場合、走行者が走行速度を容易に感知することができ、運転時に安定感と均衡感を感じることができる。しかしながら、前記第１パターン層１０のみから形成された場合、走行者は視覚的に水平基準に対する錯視現象を発生する。すなわち、高速走行時に路面が周期的に上がる感じをもたらすので、走行安定感を阻害することができる。
【００１６】
そして、本実施の形態に用いられるパターンは、第２パターン層２０を含む。前記第２パターン層２０は、前記第１パターン層１０の上部に接して車両の走行方向に沿って横方向に形成され、前記第１パターン層１０と異なる明度で形成される。明度差を表す複数のパターン層が接する場合、各々のパターン層の境界面でマッハバンド４０が形成される。このように形成されたマッハバンドによって、走行者がパターン層の躍動的な変化を感知できるようにし、錯視現象を減少させ、窮極的にトンネル内の安全運行を可能にする。
前記マッハバンド４０は、明度差を表す前記第１パターン層１０と第２パターン層２０との境界面に形成される。前記マッハバンド４０は、互いに異なる明るさステップを有するパターンが隣接する時に、明るい所と暗い所との境界で、人間の視覚は、あたかも帯状のパターンが存在したかの様に見える。このとき、マッハバンドによって現れる効果がマッハバンド効果（Ｍａｃｈ  ｂａｎｄ  ｅｆｆｅｃｔ）であるが、これは、具体的に、明るさの異なる灰色帯の境界線では、外側抑制によって明るさの差がより大きく見える現象である。ここで、外側抑制（ｌａｔｅｒ−ｉｎｈｉｂｉｔ）とは、人の視神経をなす各々の神経細胞は、両側の隣接細胞を抑制し、自分も、両側の隣接細胞から抑制を受ける。したがって、最初の反応から抑制の量を引いたものが各神経細胞の最終出力になるということである。この外側抑制の結果として、輪郭付近が強調されて知覚される。これは、一種の錯視現象である。
【００１７】
したがって、前記第１パターン層１０と前記第２パターン層２０との境界面に前記マッハバンド４０が形成されることによって、走行者の視覚により明確かつ鮮明に認知され、好奇心の誘発及び躍動的な変化により適当な緊張感で安定した走行を可能にする。
そして、前記第２パターン層２０の上部面に横方向に接して形成され、前記第２パターン層２０と異なる明度の少なくとも一つ以上の第３パターン層３０をさらに含むことができる。複数のパターン層を形成すればするほど、走行者の速度感知機能及び走行安全性をさらに向上させることができる。
前記第３パターン層３０の明度が隣接する前記第２パターン層２０と異なりさえすれば、パターンが互いに接する部分からマッハバンド４０が現れ、マッハバンド効果を期待することができる。このような互いに異なる明度を有するパターンは、多様な方法で配置できる。例えば、前記第２パターン層２０の明度が前記第１パターン層１０の明度より高く、前記第３パターン層３０の明度が前記第２パターン層２０の明度より高くなるように、すなわち上部パターンへ行くほど明度が高まるように配置することもできる。反対に、前記第２パターン層２０の明度が前記第１パターン層１０の明度より低く、前記第３パターン層３０の明度が前記第２パターン層２０の明度より低くなるように、すなわち上部パターンへ行くほど明度が低くなるように配置することもできる。
【００１８】
前記第３パターン層３０上には、第３パターン層３０と互いに異なる明度を有するパターン層を一つ以上連続して第４パターン層、第５パターン層．．．（第３パターン層以後のパターン層を一つ以上の第３パターン層とする）として配置することができる。
次に、前記第１パターン層１０及び前記第２パターン層２０は、連続的に連結された「Ｖ」字型又は「ｓｉｎ曲線」形態である。縦縞のパターンをトンネルの内壁面に適用すれば、走行者の視覚的な速度感知は著しくなるが、混乱及び錯視現象が発生して走行者の視覚疲労度が上昇する。そして、横縞のパターンをトンネルの内壁面に適用すれば、トンネルの内部を走行する走行者は、視覚的に優れた安定感と均衡感とを感じるが、速度感知能力は低下する。
しかしながら、トンネルの内壁面のパターンが連続的に連結された「Ｖ」字型又は「ｓｉｎ曲線」形態を有し、これに加えてマッハバンドが形成されるように互いに異なる明度を有する複数のパターン層を形成すれば、パターンの躍動的な変化により走行者の好奇心を誘発し、速度感知機能を向上させることができるから、トンネル内の事故を予防する効果を期待することができる。
【００１９】
そして、前記第１パターン層１０と前記第２パターン層２０とは、トンネルの内壁面に多様な方法により形成されうる。
例えば、トンネルの内壁面にタイルを付着して形成することができる。一般に、トンネル内の仕上げ材を施工した後、安全装置を設置することがほとんどであるが、色を有するタイルをトンネルの内壁面に接着剤を利用して付着して、本発明によるパターンを形成することができる。すなわち「Ｖ」字型又は「ｓｉｎ曲線」形態で互いに異なる明度を有する複数のパターン層に付着すれば、別途の費用をかけずに、トンネル内の仕上げ材効果と安全装置効果を同時に得ることができる。また、タイルの場合、表面が滑らかでホコリや自動車の粉塵のような異物の汚染が少なく、補修が容易であるという長所がある。
【００２０】
また、他の実施の形態として、前記第１パターン層１０と前記第２パターン層２０とを含むパターンは、トンネルの内壁面に塗料を塗装して形成されることもある。既に完工して使用中であるトンネルの場合、施工時間と費用を減らすためにタイルを使用して本実施の形態を適用することより、トンネルの内壁面を塗料で塗装することがより好ましいこともありうる。この場合、各々のパターン層の色を多様に表現することができ、各々のパターン層の明暗差を明確にすることができる。
【００２１】
以下、実施形態及び比較例により、本発明をより詳細に説明する。但し、実施形態は、本発明を例示するためのものであり、これに限定するものではない。
（実施形態）
本発明による変形マッハパターンのトンネル内の走行者に対する視覚心理学的影響を分析するために、３次元シミュレーション方式で図３に示すパターンをトンネルの内部に適用した。図４は、前記図３のパターンをトンネルの内壁に適用した例示図である。
（比較例１）
図５に示す縦縞のパターンがトンネル内の走行者に与える視覚心理学的影響を分析するために、３次元シミュレーションの方式により、トンネルの内部に比較例１による縦縞のパターンをトンネルの内部に適用した。図６は、前記図５のパターンをトンネルの内壁に適用した例示図である。
（比較例２）
図７に示す横縞のパターンがトンネル内の走行者に与える視覚心理学的影響を分析するために、３次元シミュレーションの方式によりトンネルの内部に比較例２による横縞のパターンをトンネルの内部に適用した。図８は、前記図７のパターンをトンネルの内壁に適用した例示図である。
【００２２】
（比較例３）
図９に示すマッハバンドパターンがトンネル内の走行者に与える視覚心理学的影響を分析するために、３次元シミュレーションの方式によりトンネルの内部に比較例３によるマッハバンドパターンをトンネルの内部に適用した。図１０は、前記図９のパターンをトンネルの内壁に適用した例示図である。
（比較例４）
図１１に示す連続的に連結された「Ｖ」字縞のパターンがトンネル内の走行者に与える視覚心理学的影響を分析するために、３次元シミュレーションの方式によりトンネルの内部に比較例４による連続的に連結された「Ｖ」字縞のパターンをトンネルの内部に適用した。図１２は、前記図１１のパターンをトンネルの内壁に適用した例示図である。
【００２３】
（実験例）−実施形態の速度認知及び走行安全性を向上させる効果の測定
図４を参照すれば、前記実施形態による変形マッハバンドパターンをトンネルの内壁面に適用すると、好奇心の誘発及び躍動的な変化により速度感知機能の向上及び均衡感を与え、走行者に安定した水平感を与えた。したがって、トンネルの内部を運転するとき、事故予防及び運転者の疲労感を予防することができることが期待される。
すなわち、後述する比較実験例３及び比較実験例４によるパターンの長所を組み合わせた効果が現れた。
【００２４】
（比較実験例１）比較例１の速度認知及び走行安全性を向上させる効果の測定
図６を参照すれば、縦縞のパターンをトンネルの内壁面に適用すると、走行者の視覚的な速度感知能力は高くなったが、混乱及び錯視現象が発生して走行者の視覚疲労度が上昇した。
（比較実験例２）比較例２の速度認知及び走行安全性を向上させる効果の測定
図８を参照すれば、横縞のパターンをトンネルの内壁面に適用すると、トンネルの内部を走行する走行者は、視覚的に優れた安定感と均衡感を感じることができたが、速度感知能力は低下した。
【００２５】
（比較実験例３）比較例３の速度認知及び走行安全性を向上させる効果の測定
図１０を参照すれば、マッハバンドパターンをトンネルの内壁面に適用すると、好奇心の誘発と安定感と均衡感が高くなり、緊張感を与えるが、速度感知能力が低下した。
（比較実験例４）比較例４の速度認知及び走行安全性を向上させる効果の測定
図１２を参照すれば、連続的に連結された「Ｖ」字縞のパターンをトンネルの内壁面に適用すると、弛緩的で躍動的に走行感が向上し、走行者の好奇心を刺激し、速度感知能力が上昇するようになった。しかしながら、水平を基準に錯視現象が発生した。
【図面の簡単な説明】
【００２６】
【図１】本発明の一実施形態に用いられる走行安全のためのトンネルの内壁面のパターンを説明するための変形マッハパターンの模式図である。
【図２】図１のパターンをトンネルの内壁に適用した例示図である。
【図３】一実施形態による変形マッハパターンを示した平面図である。
【図４】図３のパターンをトンネルの内壁に適用した例示図である。
【図５】第１比較例による縦縞のパターンを示した平面図である。
【図６】図５のパターンをトンネルの内壁に適用した例示図である。
【図７】第２比較例による横縞のパターンを示した平面図である。
【図８】図７のパターンをトンネルの内壁に適用した例示図である。
【図９】第３比較例によるマッハバンドパターンを示した平面図である。
【図１０】図９のパターンをトンネルの内壁に適用した例示図である。
【図１１】第４比較例による連続的に連結された「Ｖ」字縞のパターンを示した平面図である。
【図１２】図１１のパターンをトンネルの内壁に適用した例示図である。
【符号の説明】
【００２７】
１：トンネル、１０：第１パターン層、２０：第２パターン層、３０：第３パターン層、４０：マッハバンド（Ｍａｃｈ  ｂａｎｄ）
【図１】
2010090678.tif 000003
【図２】
2010090678.tif 000004
【図３】
2010090678.tif 000005
【図４】
2010090678.tif 000006
【図５】
2010090678.tif 000007
【図６】
2010090678.tif 000008
【図７】
2010090678.tif 000009
【図８】
2010090678.tif 000010
【図９】
2010090678.tif 000011
【図１０】
2010090678.tif 000012
【図１１】
2010090678.tif 000013
【図１２】
2010090678.tif 000014
【手続補正書】
【提出日】平成20年10月16日(2008.10.16)
【手続補正１】
【補正対象書類名】特許請求の範囲
【補正対象項目名】全文
【補正方法】変更
【補正の内容】
【特許請求の範囲】
【請求項１】
トンネルの内部を通過する車両の走行方向に沿って、前記トンネルの内壁面に横方向に形成された第１パターン層と、
前記第１パターン層の上部に接して横方向に形成され、前記第１パターン層と異なる明度を有する第２パターン層と、を含み、
前記第１パターン層及び前記第２パターン層は、連続して連結された「Ｖ」字型又は「ｓｉｎ曲線」形態であることを特徴とする走行安全のためのパターンの形成された内壁面を有するトンネル。
【請求項２】
前記第１パターン層と前記第２パターン層との境界面を中心に、マッハバンドが形成されることを特徴とする請求項１に記載の走行安全のためのパターンの形成された内壁面を有するトンネル。
【請求項３】
前記第１パターン層及び前記第２パターン層がトンネルの内壁面にタイルで付着されて形成されることを特徴とする請求項１に記載の走行安全のためのパターンの形成された内壁面を有するトンネル。
【請求項４】
前記第１パターン層及び前記第２パターン層がトンネルの内壁面に塗料で塗装して形成されることを特徴とする請求項１に記載の走行安全のためのパターンの形成された内壁面を有するトンネル。
【請求項５】
前記第２パターン層の上部に横方向に接して形成され、前記第２パターン層と異なる明度の少なくとも一つ以上の第３パターン層をさらに含むことを特徴とする請求項１に記載の走行安全のためのパターンの形成された内壁面を有するトンネル。
【請求項６】
前記第２パターン層の明度が前記第１パターン層の明度より高く、前記第３パターン層の明度が前記第２パターン層の明度より高いことを特徴とする請求項５に記載の走行安全のためのパターンの形成された内壁面を有するトンネル。
【請求項７】
前記第２パターン層の明度が前記第１パターン層の明度より低く、前記第３パターン層の明度が前記第２パターン層の明度より低いことを特徴とする請求項５に記載の走行安全のためのパターンの形成された内壁面を有するトンネル。
【手続補正３】
【補正対象書類名】明細書
【補正対象項目名】０００８
【補正方法】変更
【補正の内容】
【０００８】
上述の本発明の目的を達成すべく、本発明によれば、トンネルにおいて、車両の走行方向に沿って、トンネルの内壁面に横方向に形成された第１パターン層と、第１パターン層の上部に接して横方向に形成され、第１パターン層と異なる明度を有する第２パターン層と、を含む走行安全のためのパターンの形成された内壁面を有するトンネルを提供する。